(57)【特許請求の範囲】
【請求項１】
端末が接続される複数の外付け電話端子を具備した網制御装置、
外付け電話端子に接続して端末からのノイズを検出する外付け電話端末不当ノイズ検出部、
ＬＥＤ又はＬＣＤ等の表示手段を有し、
上記外付け電話端末不当ノイズ検出部によってノイズが検出されたら、どの外付け電話端末端子から不当なノイズが入力されたか認識し、この認識によって得られる外付け電話端末端子のアドレスに基づいてどの外付け電話端末端子に接続された端末がノイズを出しているか検出し、上記表示手段で表示することを特徴とするファクシミリ装置。
【請求項２】
ノイズを出している端末が検出されたとき、ノイズ検出時刻、ノイズを出している端末の外付け電話端子のアドレス等の情報を印刷する検出情報出力機能を有していることを特徴とする請求項１記載のファクシミリ装置。
【請求項３】
上記検出情報出力機能を使用するか否かを選べることを特徴とする請求項２記載のファクシミリ装置。
【請求項４】
上記外付け電話端末不当ノイズ検出部のノイズ検知、及び、上記表示手段による表示の機能を使用するか否かを選べることを特徴とする請求項１，２又は請求項３記載のファクシミリ装置。
【発明の詳細な説明】
【０００１】
【発明の属する技術分野】
本発明は、ファクシミリ装置に関するもので、網制御装置に外付け電話端子を持つものに適用可能なものである。
【０００２】
【従来の技術】
近年、電話回線を利用する端末やサービスが著しく増加しており、その接続形態として、１回線上に複数の端末を並列に接続することが多くなっている。通常、ファクシミリ装置には、外付けの電話端子を設け、通常の電話（端子）をファクシミリの網制御装置（以下「ＮＣＵ」という）の該当する端子に接続することで、電話とファクシミリを切り替えて使用する機能が設けられている。
【０００３】
このようなファクシミリ装置の外付け電話端子には様々な端末が接続されるが、接続される端末によっては、端末自身がＪＡＴＥによる規制をちゃんと守っておらず、ノイズを出して通信エラーや誤動作などを、ファクシミリ装置の通常動作に悪影響を及ぼすものがあった。
【０００４】
【発明が解決しようとする課題】
通信関連の信号ノイズレベル検出に関する発明としては、特開平５−１３０３５７号公報に記載のファクシミリ装置が知られている。特開平５−１３０３５７号公報に記載のファクシミリ装置は、信号レベルが小さいときもＳ／Ｎ比を改善して回線通過率を向上させることを目的としている。このような目的を達成するために、レベル検出装置で検出したモデムの受信レベルをもとに送信側のファクシミリの送出レベルを上げるかどうかを決定し、その上げ幅を送信側ファクシミリに伝えるような構成となっている。送信側ファクシミリは送られた上げ幅に応じて送出レベルを上げることにより、回線上のフロアノイズの大きさをそのままにして信号レベルを上げ、この結果、Ｓ／Ｎ比が向上するようになっている。
【０００５】
しかし、特開平５−１３０３５７号公報に記載のファクシミリ装置は、回線からの受信特性（ノイズ等）に応じて送信側のＳ／Ｎ比を変化させるなどの、回線からのノイズもしくは端末自身のノイズに対するものであり、ＮＣＵの外付け電話端子に接続された電話などの端末から入力されるノイズを防止するものではなかった。
【０００６】
本発明は以上のような従来技術の問題点を解消するためになされたもので、外付け電話端子からノイズが入力されることによって通信エラーや誤動作が生ずるのを未然に防止することが可能なファクシミリ装置を提供することを目的とする。
【０００７】
【課題を解決するための手段】
請求項１記載の発明は、端末が接続される複数の外付け電話端子を具備した網制御装置、外付け電話端子に接続して端末からのノイズを検出する外付け電話端末不当ノイズ検出部、ＬＥＤ又はＬＣＤ等の表示手段を有し、外付け電話端末不当ノイズ検出部によってノイズが検出されたら、どの外付け電話端末端子から不当なノイズが入力されたか認識することのよって得られた外付け電話端末端子のアドレスに基づいて、外付け電話端末端子に接続されたどの端末がノイズを出しているか検出し表示することを特徴とするファクシミリ装置。
【０００９】
請求項２記載の発明は、ノイズを出している端末が検出されたとき、ノイズ検出時刻、ノイズを出している端末の外付け電話端子のアドレス等の情報を印刷する、検出情報出力機能を有していることを特徴とする。
【００１０】
請求項３記載の発明は、検出情報出力機能を使用するか否かが選べることを特徴とする。
【００１１】
請求項４記載の発明は、外付け電話端末不当ノイズ検出部のノイズ検知、及び、上記表示手段によるノイズの表示を使用するか否かが選べることを特徴とする。
【００１２】
【発明の実施の形態】
以下、本発明にかかるファクシミリ装置の実施の形態について図面を参照しながら説明する。図１において、ファクシミリ装置は主として、操作表示部１、ＣＰＵ２、ＲＡＭ３、ＲＯＭ４、スキャナ５、プロッタ７、通信制御部９、モデム１０、外付け電話端末ノイズ報知手段１１、ＮＣＵ２０等の各部材から構成されている。
【００１３】
以上のような操作表示部１、ＣＰＵ２、ＲＡＭ３、ＲＯＭ４、スキャナ５、プロッタ７、通信制御部９、モデム１０、外付け電話端末ノイズ報知手段１１は、互いに接続されており、信号（データ）のやり取りができるような構成となっている。なお、スキャナ５とプロッタ７は直接接続されておらず、Ｉ／Ｆ回路６やＩ／Ｆ回路８を介して接続されている。
【００１４】
操作表示部１は表示手段であり、入力装置としてテンキー等が、表示装置としてＬＣＤ（液晶表示装置）等が設けられており、ファクシミリ装置の各種操作や設定状況をここでで見ることがきるようになっている。例えば、原稿送信の開始や、原稿送付先の指定、後述する外付け電話端子不当ノイズ検出、報知、表示機能を設定するか否かを選択したり、確認することができるようになっている。ＣＰＵ２ではファクシミリ装置のシステム制御がなされる。ＲＡＭ３にはスキャナ５によって得られる読み取りデータや受信データが格納される。また、ＲＯＭ４にはファクシミリ装置を制御するためのプログラムが予め記憶されている。スキャナ５は、Ｉ／Ｆ（インターフェース）回路６と接続されており、ファクシミリ送信時、あるいは、コピー時に原稿を読み取ることができるようになっている。出力手段であるプロッタ７も、Ｉ／Ｆ回路８と接続されており、ファクシミリ受信時及びコピー時に紙への書き込み及び出力がなされる。通信制御部９では通信に関わる様々な制御がなされ、モデム１０では送信データの変調は受信データの復調がなされる。さらに、外付け電話端末ノイズ報知手段１１では、後述するＮＣＵ２０の外付け電話端子に接続された端末がある基準以上のノイズを送出していると判断された場合に、端末設置者やオペーレータに対して報知がなされる。
【００１５】
通信制御部９にはＮＣＵ２０が接続されている。ＮＣＵ２０は、オンフック検出部２１、リンギング検出部２２、ダイアルパルス送出部２３、整流用ダイオードブリッジ２４、絶縁トランス２５、ＣＭＬリレー２６、通信中外付け電話オンフック検出部２７、外付け電話端末不当ノイズ検出部２８、２９等から構成されている。
【００１６】
また、ＮＣＵ２０には、電話回線と接続される電話回線端子Ｌ１、Ｌ２、電話機などの端末が接続される外付け電話端子Ｔ１、Ｔ２、外付け電話端子Ｔ１’、Ｔ２’が設けられている。電話回線端子Ｌ２はオンフック検出部２１を介してリンギング検出部２２と接続されている。電話回線端子Ｌ１は直接リンギング検出部２２と接続されている。
【００１７】
また、外付け電話端子Ｔ１、Ｔ２、外付け電話端子Ｔ１’、Ｔ２’は、ＣＭＬリレー２６に対して接続されている。外付け電話端子Ｔ２には外付け電話端末不当ノイズ検出部２８が、外付け電話端子Ｔ２’には外付け電話端末不当ノイズ検出部２９が接続されており、電話端末不当ノイズ検出部２８と電話端末不当ノイズ検出部２９から引き出されるラインは接続部３５で一つに集められてＣＭＬリレー２６の端子２６ｂと接続されている。また、外付け電話端子Ｔ１と接続されたラインと、外付け電話端子Ｔ１’と接続されたラインも、ＮＣＵ２０内で、接続部３６で一つに集められてＣＭＬリレー２６の端子２６ａと接続されている。
【００１８】
さらに、リンギング検出部２２は、ＮＣＵ２０外部の通信制御部９と接続されている。ＣＭＬリレー２６の端子２６ｃは通信中外付け電話オンフック検出部２７と接続されている。なお、端子２６ｄは、電話回線端子Ｌ１からリンギング検出部２２を接続するラインに接続されることにより、リンギング検出部２２と接続されている。また、端子２６ｆは、電話回線端子Ｌ２からリンギング検出部２２を接続するラインに接続されることにより、リンギング検出部２２と接続されている。さらにＣＭＬリレー２６の端子２６ｅは接地されている。さらに、ＣＭＬリレー２６はＮＣＵ２０外部の通信制御部９と直接接続されており、通信制御部９の制御を受けるような構成となっている。さらに、通信中外付け電話オンフック検出部２７も通信制御部９と接続されている。
【００１９】
ＮＣＵ２０内の、オンフック検出部２１では、ファクシミリ及び待機時の外付け電話のオフフック検出や極性反転検出がなされる。ダイアルパルス送出部２３では、直流回路の開閉やダイヤルパルスの送出ができるようになっている。絶縁トランス２５では、直流回路的に絶縁した状態で、モデム１０間と交流信号の伝達がなされる。ＣＭＬリレー２６では、待機時に外付け電話を電話回線側にしておき、ファクシミリ通信時にはスイッチを切り替えることにより、電話回線側からの切り放しがなされる。通信中外付け電話オンフック検出部２７では、ファクシミリ通信中に外付け電話がオフフックした場合が検出される。
【００２０】
ＣＭＬリレー２６と外付け電話端子Ｔ２とをつなぐラインには外付け電話端末不当ノイズ検出部２８が、ＣＭＬリレー２６と外付け電話端子Ｔ２’とをつなぐラインには外付け電話端末不当ノイズ検出部２９が接続されている。外付け電話端末不当ノイズ検出部２８、２９では、外付け電話端末Ｔ１、Ｔ２、及び、外付け電話端末Ｔ１’、Ｔ２’に接続された端末から入力される不当なノイズを検出できるようになっている。
【００２１】
次に、外付け電話端末不当ノイズ検出部２８、２９の構成について説明する。図２において、外付け電話端末不当ノイズ検出部は、外付け電話端子と接続される端部３１ａと、ＣＭＬリレー２６と接続される端部３１ｂ、通信制御部９と接続される端部３１ｃ、３１ｄとを有している。また、外付け電話端末不当ノイズ検出部の内部には抵抗Ｒ１と抵抗Ｒ２、フォトカプラ３０、３０が設けられている。抵抗Ｒ１と抵抗Ｒ２では、フォトカプラ３０、３０がオンするスレッショールド電圧の値が決定されている。このため、外付け電話端末からから送出されるノイズがそのスレッショールドノイズ値を越えると、フォトカプラ３０、３０がオンとなり、端部３１ｃ、３１ｄから、通信制御部９に対してＬｏｗＡｃｔｉｖｅパルスが送出され、このＬｏｗＡｃｔｉｖｅパルスによって、通信制御部９では、不当なノイズが検出されたことが判断される。なお、通信制御部９へ出力するための端部３１ｃ、３１ｄが２つ設けてあるのは、極性に関係なく不当ノイズを検出するためである。
【００２２】
次に、以上のような構成のファクシミリ装置の動作例について説明する。まず操作表示部１において、外付け電話端子不当ノイズ検出・報知・表示機能が選択されているかどうかチェックする。選択されていない場合、即ち、Ｎｏの場合はそのまま処理を終了する。次のステップでは、外付け電話端末不当ノイズ検出部２８、２９で、不当なノイズが検出されたかどうかがチェックされる。検出されていない場合、即ち、Ｎｏの場合はこのステップの直前にジャンプする。不当なノイズが検出されたら、通信制御部９を介して不当なノイズが検出されたことがＣＰＵ２に対して伝えられる。ＣＰＵ２では、どの外付け電話端子から不当なノイズが入力されたか認識する。
【００２３】
次のステップでは、外付け電話端末ノイズ報知手段１１を鳴動させるとともに、上記認識によって得られる外付け電話端子のアドレスをもとにして、操作表示部１に外付け電話端子の何番目に接続された端末がＮ．Ｇであるかを表示する。さらに、次のステップでは、所定の時間経過後に、外付け電話端末ノイズ報知手段１１を鳴動を止める。さらに、次のステップでは、操作表示部１において、Ｎ．Ｇ端末などの検出情報をプロッタ７に出力する設定がなされているかがチェックされる。設定がなされていない場合、即ち、Ｎｏの場合はそのまま処理を終了する。設定がなされている場合は、検出端末としてノイズを送出している端末が接続してある外付け電話端子のアドレス、不当ノイズを検出した時間などがプロッタ７に対して出力される。このように、プロッタ７に対して、検出端末としてノイズを送出している端末が接続してある外付け電話端子のアドレス、不当ノイズを検出した時間等を紙に出力することによって、その場にオペレータがいなくても、後でその紙を見ることによって不当なノイズを生じる端末を知ることができる。
【００２４】
なお、場合によっては、ノイズが生ずる端末をファクシミリ装置の外付け電話端子Ｔ１、Ｔ２、Ｔ１’、Ｔ２’に接続して、緊急に使用しなければならないこともある。このような場合に、外付け電話端末不当ノイズ検出部２８、２９や外付け電話端末ノイズ報知手段１１、不当ノイズ検出情報をプロッタ７に出力する手段が動作していると、緊急に使用しなければならない端末を素早く使用することができないこともある。このようなことも考慮して、外付け電話端末不当ノイズ検出部２８、２９や外付け電話端末ノイズ報知手段１１、不当ノイズ検出情報をプロッタ７に出力する手段は、操作表示部１での指定によって、動作させるか否かを選択できるようになっている。
【００２５】
図４に示すように、外付け電話端末送出不当ノイズを検出したい場合は、操作表示部１から所定の操作を行い、外付け電話端末不当ノイズ検出部２８、２９や外付け電話端末ノイズ報知手段１１を駆動させて、不当ノイズ検出、報知モードに入る。
【００２６】
また、図５に示すように、外付け電話送出不当ノイズ検出情報をプロッタに出力したい場合は、操作表示部１から所定の操作を行い、外付け電話送出不当ノイズ検出情報出力モードに入る。
【００２７】
以上のような構成のファクシミリ装置によれば、外付け電話端末不当ノイズ検出部２８、２９で、外部端末からの不当なノイズを検出すると共に、不当なノイズが検出されたことを、外付け電話端末ノイズ報知手段１１で報知したり、あるいは操作表示部１に表示するなどして、オペレータに対して知らせることができるため、不当なノイズが入力されることによって生ずるファクシミリ装置への通信エラーや誤動作などの悪影響を未然に防止することができる。
【００２８】
また、外付け電話端子が複数で、この外付け電話端子が複数接続されている端末の数が複数であっても、操作表示部１によって、どの外付け電話端子に接続された端末が不当なノイズを発しているかを認知することができるため、素早く、不当なノイズを発する端末を取り外し、不具合を敏速に解消することができる。
【００２９】
さらには、ノイズを出してる端末が検出されたとき、ノイズ検出時刻、ノイズを出している端末の外付け電話端子のアドレス等の情報を、出力手段であるプロッタ７に印刷する検出情報出力機能を有しているため、不当ノイズ検出時に、その場にオペレータがいなくても、後で不当な端末を知ることができる。また、検出情報出力機能を使用するか否かを表示操作部１で選べるようになっているため、ファクシミリ装置の周辺にオペーレータがいるときは検出情報出力機能を使用しないように設定し、紙の節約に寄与することができる。
【００３０】
さらに、外付け電話端末不当ノイズ検出部２８、２９のノイズ検知、及び、外付け電話端末ノイズ報知手段１１や操作表示部１によるノイズの報知や表示は、実行するか否かを選べるため、緊急時に、外付け電話端子に対して、やむを得ず不当ノイズを発する端末を接続したい場合などに素早く接続して用いることができる。
【００３１】
【発明の効果】
請求項１記載の発明によれば、外付け電話端末不当ノイズ検出部で、複数の外部端末端子による不当なノイズが検出されたら、電話端末端子のアドレスによって、どの外付け電話端末から不当なノイズが検出されたかを、ＬＥＤ又はＬＣＤなどの表示手段で表示し、オペレータに対して知らせることができるため、素早く、不当なノイズを発する端末を取り外し、不具合を敏速に解消し、不当なノイズが入力されることによって生ずるファクシミリ装置への通信エラーや誤動作などの悪影響を未然に防止することが可能となる。
【００３３】
請求項２記載の発明によれば、ノイズを出している端末が検出されたとき、ノイズ検出時刻、ノイズを出している端末の外付け電話端子のアドレス等の情報を印刷する検出情報出力機能を有しているため、不当ノイズ検出時に、その場にオペレータがいなくても、後で不当な端末を知ることが可能となる。
【００３４】
請求項３記載の発明によれば、検出情報出力機能を使用するか否かを表示操作部で選べるようになっているため、ファクシミリ装置の周辺にオペーレータがいるときは検出情報出力機能を使用しないようにし、紙の節約に寄与することが可能となる。
【００３５】
請求項４記載の発明によれば、外付け電話端末不当ノイズ検出部のノイズ検知、及び、外付け電話端末ノイズ報知手段や操作表示部によるノイズの報知や表示は、実行するか否かを選べるため、緊急時に、外付け電話端子に対して、やむを得ず不当ノイズを発する端末を接続したい場合などに、素早く接続して用いることが可能となる。
【図面の簡単な説明】
【図１】本発明にかかるファクシミリ装置の実施の形態を示す概念的に示すブロック図。
【図２】同上ファクシミリ装置に用いられる外付け電話端末不当ノイズ検出部の実施の形態を概念的に示す図。
【図３】同上ファクシミリ装置の動作例を示すフロー図。
【図４】同上ファクシミリ装置において不当ノイズ検出・報知表示手段を操作表示部にて設定する例を示すフロー図。
【図５】同上ファクシミリ装置において検出情報を出力手段に出力するか否かの設定を操作表示部にて設定する例を示すフロー図。
【符号の説明】
１    表示手段
７    出力手段
１１    報知手段
２０    網制御装置
２８    外付け電話端末不当ノイズ検出部
２９    外付け電話端末不当ノイズ検出部
Ｔ１    外付け電話端子
Ｔ２    外付け電話端子
Ｔ１’  外付け電話端子
Ｔ２’  外付け電話端子
【図１】
0003556036.tif 000002
【図２】
0003556036.tif 000003
【図３】
0003556036.tif 000004
【図４】
0003556036.tif 000005
【図５】
0003556036.tif 000006